(57)【要約】  【課題】  装置に対する点検作業効率の画期的な向上を図るための携帯電話機を提供する。  【解決手段】  装置を点検するための携帯電話機１であって、前記装置の個別情報を管理する点検先管理部４および点検先記憶部５と、前記装置に対する制御命令であるコマンドおよび前記点検の手順に基づき前記コマンドの順序を定めた点検メニューを管理する点検手順管理部６および点検手順記憶部７と、前記点検先管理部４および点検先記憶部５にて管理される前記個別情報に基づき、前記点検手順管理部６および点検手順記憶部７にて管理される前記コマンドを前記点検メニューにて定められた順序に基づき前記装置に送信する通信モジュール部９、自動点検制御部１０と、前記点検手順管理部６および点検手順記憶部７にて管理される前記点検メニューが終了した点検済装置から前記点検メニューが実施されていない未点検装置へ前記コマンド送信部の送信先を切替える前記自動点検制御部１０とを備えた。    【選択図】  図１
2008156051.tif 000002
【特許請求の範囲】
【請求項１】
装置を点検するための点検端末であって、
前記装置の個別情報を管理する装置管理部と、
前記装置に対する制御命令であるコマンドおよび前記点検の手順に基づき前記コマンドの順序を定めた点検メニューを管理するコマンド管理部と、
前記装置管理部にて管理される前記個別情報に基づき、前記コマンド管理部にて管理される前記コマンドを前記点検メニューにて定められた順序に基づき前記装置に送信するコマンド送信部と、
前記コマンド管理部にて管理される前記点検メニューが終了した点検済装置から前記点検メニューが実施されていない未点検装置へ前記コマンド送信部の送信先を切替える装置切替え部と、
を備えることを特徴とする点検端末。
【請求項２】
請求項１に記載の点検端末において、
前記コマンド送信部にて送信される前記コマンドに対する前記装置における制御結果を受信する制御結果受信部と、
を備えることを特徴とする点検端末。
【請求項３】
請求項２に記載の点検端末において、
前記制御結果受信部にて受信される前記制御結果を記録する制御結果記録部と、
を備えることを特徴とする点検端末。
【請求項４】
請求項２または請求項３に記載の点検端末において、
前記制御結果受信部は前記制御結果を無線通信により受信することを特徴とする点検端末。
【請求項５】
請求項１乃至請求項４のいずれかに記載の点検端末において、
前記コマンド送信部は前記コマンドを無線通信により送信することを特徴とする点検端末。
【請求項６】
請求項１乃至請求項５のいずれかに記載の点検端末において、
前記装置管理部は、更に前記装置を検索することで前記個別情報を登録することを特徴とする点検端末。
【請求項７】
請求項１乃至請求項６のいずれかに記載の点検端末において、
前記装置はエレベータであることを特徴とする点検端末。
【請求項８】
請求項１乃至請求項７のいずれかに記載の点検端末において、
該点検端末は携帯電話機であることを特徴とする点検端末。
【請求項９】
請求項１乃至請求項８のいずれかに記載の点検端末において、
前記コマンド管理部は、更に前記コマンドおよび前記点検メニューを外部システムより取得することを特徴とする点検端末。
【請求項１０】
請求項３乃至請求項９のいずれかに記載の点検端末において、
前記制御結果記録部は、更に前記制御結果を外部システムへ送信することを特徴とする点検端末。
【請求項１１】
装置を点検するためにコンピュータに実行させる点検プログラムであって、
前記装置の個別情報を管理する装置管理ステップと、
前記装置に対する制御命令であるコマンドおよび前記点検の手順に基づき前記コマンドの順序を定めた点検メニューを管理するコマンド管理ステップと、
前記装置管理ステップにて管理される前記個別情報に基づき、前記コマンド管理ステップにて管理される前記コマンドを前記点検メニューにて定められた順序に基づき前記装置に送信するコマンド送信ステップと、
前記コマンド管理ステップにて管理される前記点検メニューが終了した点検済装置から前記点検メニューが実施されていない未点検装置へ前記コマンド送信ステップの送信先を切替える装置切替えステップと、
をコンピュータに実行させることを特徴とする点検プログラム。
【請求項１２】
請求項１１に記載の点検プログラムにおいて、
前記コマンド送信ステップにて送信される前記コマンドに対する前記装置における制御結果を受信する制御結果受信ステップと、
をコンピュータに実行させることを特徴とする点検プログラム。
【請求項１３】
請求項１２に記載の点検プログラムにおいて、
前記制御結果受信ステップにて受信される前記制御結果を記録する制御結果記録ステップと、
をコンピュータに実行させることを特徴とする点検プログラム。
【請求項１４】
請求項１２または請求項１３に記載の点検プログラムにおいて、
前記制御結果受信ステップは前記制御結果を無線通信により受信することを特徴とする点検プログラム。
【請求項１５】
請求項１１乃至請求項１４のいずれかに記載の点検プログラムにおいて、
前記コマンド送信ステップは前記コマンドを無線通信により送信することを特徴とする点検プログラム。
【請求項１６】
請求項１１乃至請求項１５のいずれかに記載の点検プログラムにおいて、
前記装置管理ステップは、更に前記装置を検索することで前記個別情報を登録することを特徴とする点検プログラム。
【請求項１７】
請求項１１乃至請求項１６のいずれかに記載の点検プログラムにおいて、
前記装置はエレベータであることを特徴とする点検プログラム。
【請求項１８】
請求項１１乃至請求項１７のいずれかに記載の点検プログラムにおいて、
前記コンピュータは携帯電話機であることを特徴とする点検プログラム。
【請求項１９】
請求項１１乃至請求項１８のいずれかに記載の点検プログラムにおいて、
前記コマンド管理ステップは、更に前記コマンドおよび前記点検メニューを外部システムより取得することを特徴とする点検プログラム。
【請求項２０】
請求項１３乃至請求項１９のいずれかに記載の点検プログラムにおいて、
前記制御結果記録ステップは、更に前記制御結果を外部システムへ送信することを特徴とする点検プログラム。
【請求項２１】
装置を点検するための点検方法であって、
前記装置の個別情報を管理する装置管理ステップと、
前記装置に対する制御命令であるコマンドおよび前記点検の手順に基づき前記コマンドの順序を定めた点検メニューを管理するコマンド管理ステップと、
前記装置管理ステップにて管理される前記個別情報に基づき、前記コマンド管理ステップにて管理される前記コマンドを前記点検メニューにて定められた順序に基づき前記装置に送信するコマンド送信ステップと、
前記コマンド管理ステップにて管理される前記点検メニューが終了した点検済装置から前記点検メニューが実施されていない未点検装置へ前記コマンド送信ステップの送信先を切替える装置切替えステップと、
を実行することを特徴とする点検方法。
【請求項２２】
請求項２１に記載の点検方法において、
前記コマンド送信ステップにて送信される前記コマンドに対する前記装置における制御結果を受信する制御結果受信ステップと、
を実行することを特徴とする点検方法。
【請求項２３】
請求項２２に記載の点検方法において、
前記制御結果受信ステップにて受信される前記制御結果を記録する制御結果記録ステップと、
を実行することを特徴とする点検方法。
【請求項２４】
請求項２２または請求項２３に記載の点検方法において、
前記制御結果受信ステップは前記制御結果を無線通信により受信することを特徴とする点検方法。
【請求項２５】
請求項２１乃至請求項２４のいずれかに記載の点検方法において、
前記コマンド送信ステップは前記コマンドを無線通信により送信することを特徴とする点検方法。
【請求項２６】
請求項２１乃至請求項２５のいずれかに記載の点検方法において、
前記装置管理ステップは、更に前記装置を検索することで前記個別情報を登録することを特徴とする点検方法。
【請求項２７】
請求項２１乃至請求項２６のいずれかに記載の点検方法において、
前記装置はエレベータであることを特徴とする点検方法。
【請求項２８】
請求項２１乃至請求項２７のいずれかに記載の点検方法において、
前記点検は携帯電話機を用いることで実行することを特徴とする点検方法。
【請求項２９】
請求項２１乃至請求項２８のいずれかに記載の点検方法において、
前記コマンド管理ステップは、更に前記コマンドおよび前記点検メニューを外部システムより取得することを特徴とする点検方法。
【請求項３０】
請求項２３乃至請求項２９のいずれかに記載の点検方法において、
前記制御結果記録ステップは、更に前記制御結果を外部システムへ送信することを特徴とする点検方法。
【発明の詳細な説明】
【技術分野】
【０００１】
本発明は、エレベータを点検するための点検端末、点検プログラム、点検方法に関する。
【背景技術】
【０００２】
従来のエレベータの点検作業は、作業員が点検端末を点検対象であるエレベータの制御盤に接続し、点検端末のボタンを用いてコマンドを手作業により入力し、点検端末の表示領域に表示される応答を確認することによって行われていた。ここでいう点検端末とは、図１６に示すＲＳ−２３２Ｃケーブル接続や図１７に示す光回線終端装置（ＯＮＵ）を介した光ケーブル接続、あるいはＵＳＢケーブル接続などの有線ケーブルを用いることで、エレベータの制御盤と接続するシリアルコンソール（点検端末）をいう。
【０００３】
点検端末の概観を図１８に示す。従来の点検端末は表示画面と操作キーを備え、作業員の入力に応じて通信ケーブルを通して制御盤へコマンドが送られ、制御盤からの応答結果が通信ケーブルを通して表示画面に表示される。従来の点検端末における表示画面は２ライン程度のドットマトリクス液晶であった。また点検端末は電源ケーブルを介して電力が供給された。
【０００４】
ここでエレベータと制御盤との配置を図１９に示し、また図２０に複数台のエレベータと制御盤との配置を示す。制御盤は主として動力装置付近に配置されているか、もしくは狭い空間に配置されていることが多く、よって狭い場所での作業となることが多い。特に複数台のエレベータを点検する場合、従来の手法である点検端末から有線ケーブルを介した点検では、点検実施済みのエレベータから有線ケーブルを物理的に引き抜き、次の点検対象であるエレベータの制御盤まで移動し有線ケーブルを物理的に接続させる必要があるため、点検作業効率が悪かった。
【０００５】
近年、点検端末を携帯電話機に置き換える試みが行われている。ここで用いられる携帯電話機は、図２１に示すとおりＢｌｕｅｔｏｏｔｈ（登録商標）通信を行う能力を備え、制御盤との通信を仲介するＢｌｕｅｔｏｏｔｈアダプタを介して制御盤にコマンドの送信を行う。これにより作業員（携帯電話機）とエレベータとの間が無線通信化されることとなり、携帯電話機上で別の無線通信相手（別のＢｌｕｅｔｏｏｔｈアダプタ）に接続を切り替える作業は、制御盤のある場所まで移動しケーブルを物理的に付け替える作業に比べて、作業負荷も軽減され複数台のエレベータに対する点検作業効率の向上につながった。
【０００６】
また、近年の携帯電話機の普及には著しいものがあり、携帯電話機メーカー各社の競争により高性能化と小型化、および軽量化が進んでいる。このような携帯電話機を用いることで、作業員は小型かつ軽量で、さらに従来の表示能力が低い液晶画面に対し大型の液晶表示装置を備えるとともに、従来の電源ケーブルからの電力供給に対しバッテリー駆動が可能な点検端末を得ることができるようになった。
【０００７】
尚、エレベータの点検に関連する公知技術として、例えば特許文献１がある。特許文献１は、エレベータ点検項目が格納された点検項目リストファイルならびにエレベータ点検項目に基づいて、各顧客により実施されたエレベータ点検結果の履歴が格納された履歴リストファイルを有する顧客用データベースを備えることを特徴とするシステムについて開示している。
【特許文献１】特開２００６−１９９４６９号公報
【発明の開示】
【発明が解決しようとする課題】
【０００８】
しかしながら、従来技術における携帯電話機およびそれに搭載されたアプリケーションは、従来の点検端末の機能をエミュレートするにとどまる。また通信ケーブルおよび電源ケーブルの有線による物理的接続から開放されたものの、点検作業において作業員が行わなければならない作業内容はなんら変化していない。
【０００９】
また点検端末の高性能化や無線化により作業効率に多少の向上が見られたとしても、作業員が点検作業中に直接その場で手作業による操作を行っている限り、点検作業効率は作業員の操作速度が限界となる。
【００１０】
ここで、図２０に示した複数台のエレベータ対するパラメータの一例を図２２に示す。例えば機種Ａには「音声入力」の設定項目があるが、機種Ｂおよび機種Ｃには「音声入力」の設定項目がない等の設定項目の有無や、またエレベータの移動の限度を示す「最低階」、「最高階」、および停止させない階を示す「スキップ階」はそれぞれのエレベータによって異なった設定値となっている等、複数台エレベータが設置されている場合は、エレベータ毎に設定内容が異なっていることが多い。よって従来のような作業員が点検作業中に直接手作業でコマンドを入力する手法は、作業ミスの発生を免れることはできない。
【００１１】
特許文献１においても、前述のリストファイルおよびデータベースは、点検項目や点検結果の入力および閲覧をＷｅｂ端末から行うことを目的として用意されたものであり、これらを活用した点検作業の自動化や効率化を狙ったものではない。
【００１２】
本発明は上述した課題を解決するためになされたものであり、点検作業の多くを自動化することで点検作業効率の画期的な向上を図るとともに、従来手作業で行っていた点検作業を自動化することで、作業員が操作することにより発生する作業ミスを防止し、点検作業の質的向上をも実現する点検端末を提供することを目的とする。
【００１３】
また本発明では、携帯電話機を点検端末として機能させる携帯電話機用アプリケーションに、あらかじめ与えられた手順に沿って点検作業を自動で行う機能と、更に複数のエレベータに対し、接続を自動的に切り替えることで順次点検を行う機能とを搭載する点検端末を提供することを目的とする。
【課題を解決するための手段】
【００１４】
上述した課題を解決するため、本発明は、装置を点検するための点検端末であって、前記装置の個別情報を管理する装置管理部と、前記装置に対する制御命令であるコマンドおよび前記点検の手順に基づき前記コマンドの順序を定めた点検メニューを管理するコマンド管理部と、前記装置管理部にて管理される前記個別情報に基づき、前記コマンド管理部にて管理される前記コマンドを前記点検メニューにて定められた順序に基づき前記装置に送信するコマンド送信部と、前記コマンド管理部にて管理される前記点検メニューが終了した点検済装置から前記点検メニューが実施されていない未点検装置へ前記コマンド送信部の送信先を切替える装置切替え部とを備えることを特徴とする点検端末である。
【００１５】
また本発明は、上述した点検端末において、前記コマンド送信部にて送信される前記コマンドに対する前記装置における制御結果を受信する制御結果受信部とを備えることを特徴とするものである。
【００１６】
また本発明は、上述した点検端末において、前記制御結果受信部にて受信される前記制御結果を記録する制御結果記録部とを備えることを特徴とするものである。
【００１７】
さらに本発明は、上述した点検端末において、前記制御結果受信部は前記制御結果を無線通信により受信することを特徴とするものである。
【００１８】
また本発明は、上述した点検端末において、前記コマンド送信部は前記コマンドを無線通信により送信することを特徴とするものである。
【００１９】
また本発明は、上述した点検端末において、前記制御結果受信部は前記制御結果を無線通信により受信することを特徴とするものである。
【００２０】
さらに本発明は、上述した点検端末において、前記装置管理部は、更に前記装置を検索することで前記個別情報を登録することを特徴とするものである。
【００２１】
また本発明は、上述した点検端末において、前記装置はエレベータであることを特徴とするものである。
【００２２】
さらに本発明は、上述した点検端末において、該点検端末は携帯電話機であることを特徴とするものである。
【００２３】
また本発明は、上述した点検端末において、前記コマンド管理部は、更に前記コマンドおよび前記点検メニューを外部システムより取得することを特徴とするものである。
【００２４】
また本発明は、上述した点検端末において、前記制御結果記録部は、更に前記制御結果を外部システムへ送信することを特徴とするものである。
【００２５】
また上述した課題を解決するため、本発明は、装置を点検するためにコンピュータに実行させる点検プログラムであって、前記装置の個別情報を管理する装置管理ステップと、前記装置に対する制御命令であるコマンドおよび前記点検の手順に基づき前記コマンドの順序を定めた点検メニューを管理するコマンド管理ステップと、前記装置管理ステップにて管理される前記個別情報に基づき、前記コマンド管理ステップにて管理される前記コマンドを前記点検メニューにて定められた順序に基づき前記装置に送信するコマンド送信ステップと、前記コマンド管理ステップにて管理される前記点検メニューが終了した点検済装置から前記点検メニューが実施されていない未点検装置へ前記コマンド送信ステップの送信先を切替える装置切替えステップとをコンピュータに実行させることを特徴とする点検プログラムである。
【００２６】
また本発明は、上述した点検プログラムにおいて、前記コマンド送信ステップにて送信される前記コマンドに対する前記装置における制御結果を受信する制御結果受信ステップとをコンピュータに実行させることを特徴とするものである。
【００２７】
また本発明は、上述した点検プログラムにおいて、前記制御結果受信ステップにて受信される前記制御結果を記録する制御結果記録ステップとをコンピュータに実行させることを特徴とするものである。
【００２８】
さらに本発明は、上述した点検プログラムにおいて、前記制御結果受信ステップは前記制御結果を無線通信により受信することを特徴とするものである。
【００２９】
また本発明は、上述した点検プログラムにおいて、前記コマンド送信ステップは前記コマンドを無線通信により送信することを特徴とするものである。
【００３０】
また本発明は、上述した点検プログラムにおいて、前記装置管理ステップは、更に前記装置を検索することで前記個別情報を登録することを特徴とするものである。
【００３１】
また本発明は、上述した点検プログラムにおいて、前記装置はエレベータであることを特徴とするものである。
【００３２】
さらに本発明は、上述した点検プログラムにおいて、前記コンピュータは携帯電話機であることを特徴とするものである。
【００３３】
また本発明は、上述した点検プログラムにおいて、前記コマンド管理ステップは、更に前記コマンドおよび前記点検メニューを外部システムより取得することを特徴とするものである。
【００３４】
また本発明は、上述した点検プログラムにおいて、前記制御結果記録ステップは、更に前記制御結果を外部システムへ送信することを特徴とするものである。
【００３５】
さらに上述した課題を解決するため、本発明は、装置を点検するための点検方法であって、前記装置の個別情報を管理する装置管理ステップと、前記装置に対する制御命令であるコマンドおよび前記点検の手順に基づき前記コマンドの順序を定めた点検メニューを管理するコマンド管理ステップと、前記装置管理ステップにて管理される前記個別情報に基づき、前記コマンド管理ステップにて管理される前記コマンドを前記点検メニューにて定められた順序に基づき前記装置に送信するコマンド送信ステップと、前記コマンド管理ステップにて管理される前記点検メニューが終了した点検済装置から前記点検メニューが実施されていない未点検装置へ前記コマンド送信ステップの送信先を切替える装置切替えステップとを実行することを特徴とする点検方法である。
【００３６】
また本発明は、上述した点検方法において、前記コマンド送信ステップにて送信される前記コマンドに対する前記装置における制御結果を受信する制御結果受信ステップとを実行することを特徴とするものである。
【００３７】
また本発明は、上述した点検方法において、前記制御結果受信ステップにて受信される前記制御結果を記録する制御結果記録ステップとを実行することを特徴とするものである。
【００３８】
また本発明は、上述した点検方法において、前記制御結果受信ステップは前記制御結果を無線通信により受信することを特徴とするものである。
【００３９】
さらに本発明は、上述した点検方法において、前記コマンド送信ステップは前記コマンドを無線通信により送信することを特徴とするものである。
【００４０】
また本発明は、上述した点検方法において、前記装置管理ステップは、更に前記装置を検索することで前記個別情報を登録することを特徴とするものである。
【００４１】
また本発明は、上述した点検方法において、前記装置はエレベータであることを特徴とするものである。
【００４２】
さらに本発明は、上述した点検方法において、前記点検は携帯電話機を用いることで実行することを特徴とするものである。
【００４３】
また本発明は、上述した点検方法において、前記コマンド管理ステップは、更に前記コマンドおよび前記点検メニューを外部システムより取得することを特徴とするものである。
【００４４】
また本発明は、上述した点検方法において、前記制御結果記録ステップは、更に前記制御結果を外部システムへ送信することを特徴とするものである。
【発明の効果】
【００４５】
本発明によれば、装置に対し点検手順に基づいた点検を自動化させ、また複数の装置がある場合は自動的に順次装置を切替えながら点検がなされることで点検作業効率を向上させることができる。
【発明を実施するための最良の形態】
【００４６】
以下、本発明の実施の形態について図面を参照しつつ説明する。
【００４７】
（実施の形態１）
本実施の形態における点検端末である携帯電話機を図１の機能ブロック図に示す。携帯電話機１はＢｌｕｅｔｏｏｔｈ通信機能を備え、任意のアプリケーションを搭載できる機能を有しているものとする。尚、本実施の形態では図１に示す作業員３０により携帯電話機１が操作されることで、エレベータの点検作業が行われる。従来の点検端末および携帯電話機上の点検用アプリケーションでは、作業員が専用端末あるいは携帯電話機のボタンを操作して、点検作業中に直接コマンドを入力していたが、本実施の形態においては所定の項目を選択し、点検先エレベータ（エレベータ２０Ａ、２０Ｂおよび２０Ｃ）に対しコマンドを送信することで実行させ、その実行結果（エレベータでの制御結果）を確認するだけでよい。
【００４８】
携帯電話機１は、表示部２、入力部３、点検先管理部４、点検先記憶部５、点検手順管理部６、点検手順記憶部７、点検結果記録部８、通信モジュール部９、および自動点検制御部１０を備える。以下、携帯電話機１のそれぞれの機能ブロックについて説明する。
【００４９】
表示部２は、作業員３０に対し点検対象である点検先エレベータ（本実施の形態におけるエレベータ２０Ａ、２０Ｂおよび２０Ｃ）の個別内容や、点検先エレベータに対する処理の結果（制御結果）を認識させる液晶画面である。
【００５０】
入力部３は、携帯電話機１に備わる操作ボタン等の入力装置である。作業員３０からの入力を受け付けるものとしては操作ボタン以外に音声入力などがある。
【００５１】
点検先管理部４は、後述する点検先記憶部５に点検先プロファイル（個別情報）として記憶されている点検先エレベータの情報の読み出しや追加、修正を行う。
【００５２】
点検先記憶部５には、図２に示すとおり、点検先エレベータの情報である点検先プロファイルが記録されている。点検先プロファイルには、エレベータの識別名称である「名称」、エレベータに一意のものとして個別に割り与えられた「Ｂｌｕｅｔｏｏｔｈアドレス」、Ｂｌｕｅｔｏｏｔｈ通信を行うときの認証キーである点検先エレベータの「ＰＩＮコード」、エレベータの機種名を示した「機種」の情報が含まれ、更に後述する「標準メニュー」および「点検メニュー」、最終点検が行われた日時である「最終点検日時」の情報が含まれる。
【００５３】
点検手順管理部６は、後述する点検手順記憶部７に点検プロファイルとして記憶されている点検メニュー（点検先エレベータに対する制御命令であるコマンドを、点検手順に基づき順序を定めたコマンドの集合体）の読み出しや追加、修正を行う。
【００５４】
点検手順記憶部７は、図３に示すとおり、点検メニューを点検プロファイルとして登録する。点検プロファイルには、点検メニューの名称（図３の最上段の網掛け段）、点検手順の順序に基づいたコマンドの集合体、および標準機種情報（図３最下段の「標準」）が含まれる。
【００５５】
各点検メニューにおけるコマンドの集合体で列記された項番順に各コマンドが実行される。例えば図３の『ＭＥＮＵ−Ａ』は、点検先エレベータとの接続（ＣＯＮＮＥＣＴ）、点検先エレベータのシステム時刻の取得（ＣＡＬＥＮＤＡＲ）、３階へ移動（ＭＯＶＥ  ３）、１階へ移動（ＭＯＶＥ  １）、点検先エレベータ内の記憶装置のダンプデータを取得（ＤＵＭＰ）、点検先エレベータからの切断（ＥＸＩＴ）の順序で実行され、『ＭＥＮＵ−Ｂ』は、点検先エレベータとの接続（ＣＯＮＮＥＣＴ）、点検先エレベータの設定値初期化（ＩＮＩＴ）、点検先エレベータのシステム時刻の取得（ＣＡＬＥＮＤＡＲ）、最上階に移動（ＭＯＶＥ  ＴＯＰ）、最下階に移動（ＭＯＶＥ  ＢＯＴＴＯＭ）、点検先エレベータ内の記憶装置上の「ＦＥ００：０５」番地のダンプデータを取得（ＤＵＭＰ  ＦＥ００：０５）、点検先エレベータからの切断（ＥＸＩＴ）の順序で実行される。『ＭＥＮＵ−Ｃ』も同様に列記された項番順に実行される。
【００５６】
標準機種情報に示された機種と同機種のエレベータが点検先記憶部５に点検先プロファイルとして新規に追加された際、点検プロファイルに対応する点検メニューが、追加された点検先プロファイルの「標準メニュー」および「点検メニュー」として設定される。例えば図３の『ＭＥＮＵ−Ａ』を例にすると、標準機種情報は『ＴＳ−ＥＶ１』となっているため、図２の「名称」が『ＥＬＶ−２』（機種は『ＴＳ−ＥＶ１』）であるエレベータが新規に追加された際、『ＥＬＶ−２』の機種が『ＴＳ−ＥＶ１』であるため図２の「標準メニュー」および「点検メニュー」に『ＭＥＮＵ−Ａ』が設定される（「点検メニュー」は後に変更可能）。このように点検プロファイル内に、機種と点検メニュー（標準メニュー）とを関連付けることで、該当機種のエレベータが新規に登録された場合に自動的に点検メニューが設定される。よってエレベータが追加される毎に点検メニューを作成するという作業が無くなり、作業効率を高めることができる。
【００５７】
点検結果記録部８は、点検先エレベータに関する諸情報、点検先エレベータに対するコマンド、およびコマンドに対する点検先エレベータで行われた制御の結果を記録する。
【００５８】
点検結果記録部８におけるデータの構成を図４および図１３に示す。点検結果記録部８は、図４に示すように点検したエレベータの名称（点検対象）、点検したエレベータのログの名称（点検結果）、および点検を行った日時（点検日）を一覧情報として保持し、更に図１３に示すように各点検結果の詳細をログとして記録する。図１３に示したログの内容については後述する。
【００５９】
点検結果記録部８に記録された情報は、作業員３０により携帯電話機１の表示部２で確認される。また点検結果記録部８に記録された情報は、外部メモリ媒体や電子メール等携帯電話機の通信機能を用いることにより別の計算機上に移動され、さらにその上で編集や集計が行われてもよい。また点検結果記録部８に記録された情報は、作業員３０により携帯電話機１の赤外線通信機能やＢｌｕｅｔｏｏｔｈ通信機能を用いて、図示しないプリンタへ出力されてもよい。
【００６０】
通信モジュール部９は、点検先エレベータとの通信を行う。本実施の形態においてはＢｌｕｅｔｏｏｔｈ通信を通信手段として用いている。
【００６１】
自動点検制御部１０は、本実施の形態における点検端末としての処理を統括する機能を有する。自動点検制御部１０は、点検先管理部４を通して点検先記憶部５に記憶されている点検先プロファイルを取得し、その点検先エレベータに関連付けられた点検プロファイルを、点検手順管理部６を通して点検手順記憶部７より取得し、表示部２に取得した点検先プロファイルや点検プロファイルの情報を出力する。更に自動点検制御部１０は、入力部３を通して行われる作業員３０の操作に基づき、点検先エレベータに対し通信モジュール部９を通して点検メニューで定められた順序でコマンドを送信する。
【００６２】
また自動点検制御部１０は、通信モジュール部９を介して点検先エレベータからのコマンドに対する応答（制御結果）を受信し、点検結果記録部８に記録し、記憶した内容を表示部２に表示する。
【００６３】
さらに自動点検制御部１０は、複数台のエレベータに対する点検を一括して行う場合は、通信モジュール部９を用いて接続するエレベータを切り替え、新しく接続した点検先エレベータに対し、対応付けられた点検メニューにて定められた順序でコマンドを送信する。
【００６４】
また、エレベータ２０Ａからエレベータ２０Ｃは、携帯電話機１で点検されるエレベータであり、ゴンドラ、滑車、モーターなどの機械的駆動部分と、それらを制御する制御盤から構成される。本実施の形態においては、図示しない制御盤と携帯電話機１とはＢｌｕｅｔｏｏｔｈ通信により接続されることで点検作業が行われる。すなわち制御盤は、自身にＢｌｕｅｔｏｏｔｈ通信機能を有することで携帯電話機１と接続するか、または上述の図２１に示すようにＢｌｕｅｔｏｏｔｈ通信機能を付加するため、Ｂｌｕｅｔｏｏｔｈアダプタを制御盤自身に予め備えられた通信インターフェース（例えばＲＳ−２３２Ｃケーブルや光ケーブル）を介することで装着し、携帯電話機１と接続するかのいずれかの構成となる。
【００６５】
次に、本実施の形態の詳細な流れを説明する。まず、点検先エレベータ（点検先プロフィル）および点検メニュー（点検プロファイル）の追加および設定手順について、表示部２にて表示される画面（図５から図１２）に基づき説明する。尚、各画面は特に記載がない場合は自動点検制御部１０により制御され、表示部２により表示される。
【００６６】
自動点検制御部１０により図５の「点検先エレベータ選択」画面が表示されることで、点検先エレベータの選択が行われる。「点検先エレベータ選択」画面で「実行」ボタンが押されることで、「点検」の列にチェックが入ったエレベータに対して点検作業が自動的に行われる。尚、「点検先エレベータ選択」画面においては、入力部３の操作に基づき項目が反転表示され、「選択」ボタンを押すことで該当項目が選択される。
【００６７】
更に自動点検制御部１０は、「点検先エレベータ選択」画面に一覧表示された点検先エレベータのうち、Ｂｌｕｅｔｏｏｔｈ通信ができないエレベータについては、該当行をグレー表示することで選択できない旨を示す。例えば図５の「点検先エレベータ選択」画面で、「対象」の項目が「ＥＬＶ−５」であるエレベータはＢｌｕｅｔｏｏｔｈ通信ができないため、該当行がグレー表示される。
【００６８】
「点検先エレベータ選択」画面の「対象」列には、対象となるエレベータの名称が表示される。エレベータの「名称」が選択されると、点検先管理部４は点検先記憶部５に登録されるエレベータの情報（点検先プロファイル）を図６の「点検先エレベータの詳細情報」画面として表示する。尚「点検先エレベータの詳細情報」画面は、上述した点検先プロファイルの情報が表示される。
【００６９】
「点検先エレベータの詳細情報」画面で「点検履歴」が選択されると、自動点検制御部１０は、点検結果記録部８に記録された情報に基づき、該当エレベータ（図４での「点検対象」）に関する点検日を参照することで図７の「点検履歴の確認」画面を表示する。「点検履歴の確認」画面で更に閲覧したい点検日を選択すると、点検結果記録部８に記録された情報に基づき、図８に示す点検結果ログの詳細を閲覧することができる。
【００７０】
図５の「点検先エレベータ選択」画面の説明に戻ると、「新規」（「対象」項目の最下段）が選択されると、点検先管理部４は点検先エレベータを新たに追加する。図９に「点検先エレベータの追加」画面を示す。エレベータの「名称」と「Ｂｌｕｅｔｏｏｔｈアドレス」（ＢＴアドレス）が必須項目として入力され、「登録」ボタンが押されることで点検先記憶部５へ点検先プロファイルとして登録され、「点検先エレベータ選択」画面に表示されるようになる。更に「点検先エレベータの追加」画面でエレベータの「機種」が入力された後に登録されると、点検プロファイルに対応する標準機種情報（図３の最下段の「標準」）が設定されていることを条件に「標準メニュー」および「点検メニュー」が点検先プロファイルに自動的に登録される。更に「点検先エレベータの追加」画面で「標準メニュー」が入力された後に登録されると、入力された「標準メニュー」が点検先プロファイルの「標準メニュー」および「点検メニュー」となる。
【００７１】
上述のように手動入力によって点検先エレベータを登録させる代わりに、点検先管理部４は通信モジュール部９におけるＢｌｕｅｔｏｏｔｈの周辺機器検索機能を用いて点検先エレベータを自動で検索し、当該機能によって発見された周辺Ｂｌｕｅｔｏｏｔｈ機器の一覧から、作業員３０に選択させることによって、点検先を追加してもよい。
【００７２】
図５の「点検先エレベータ選択」画面の説明に戻ると、「点検メニュー」の列には、点検先エレベータに対して実行される点検メニューが表示される。「未設定」となっている項目は、実行前にいずれかの点検メニューを選択しなければならないことを示している。
【００７３】
「点検先エレベータ選択」画面より点検メニューが「未設定」である項目が選択されると、点検手順管理部６は、点検手順記憶部７より点検プロファイルを取得し、図１０の「点検メニューの選択」画面を表示する。「点検メニューの選択」画面の一覧表示から希望する点検メニューが選択されると（希望する点検メニューが反転表示され、「選択」ボタンが押される）、点検先管理部４は、図２に示す点検先プロファイルの「点検メニュー」に選択された点検メニューが設定され、点検先エレベータと点検メニューの対応付けがなされる。
【００７４】
また既に点検先エレベータに対応付けられた点検メニューを変更する場合でも、作業員３０は「点検先エレベータ選択」画面で該当点検メニューを選択し、図１０の「点検メニューの選択」画面から点検メニューを選択することで変更することができる。
【００７５】
更に、図１０の「点検メニューの選択」画面に一覧表示された点検メニューが反転表示され、「詳細表示」が選択されることで、点検手順管理部６は選択された点検メニューの詳細として図１１の「点検メニュー詳細」画面を表示する。
【００７６】
図１１の「点検メニュー詳細」画面は、図１０の「点検メニューの選択」画面で選択された点検メニューの内容であるコマンドの集合（図３の点検プロファイルの内容）を表示する。作業員３０はコマンドを選択し「編集」ボタンを押すことで、コマンドを編集することができ、空欄を選択し「編集」ボタンを押すことで、コマンドを追加することができる。編集作業の終了後、「登録」ボタンを押すことで点検手順記憶部７に編集後の点検メニューが登録される。
【００７７】
更に図１０の「点検メニューの選択」画面で、「新規」ボタンが押されることで点検メニューの追加が行われる。図１２に「点検メニューの新規登録」画面を示す。点検メニューの「名称」と最低1つのコマンドを与えて「登録」ボタンが押されると、点検手順管理部６は、点検手順記憶部７に新しい点検プロファイルとして登録し、以降図１０の「点検メニューの選択」画面に表示するようになる。
【００７８】
次に、点検を実行する際の処理シーケンスを図１４に示す。
【００７９】
まず作業員３０は上述した点検先エレベータおよび点検メニューに対する選択操作を終え、携帯電話機１の入力部３を用いて自動点検制御部１０に対して点検実行を指示する（ステップＳ１、ステップＳ２）。
【００８０】
自動点検制御部１０は、まず図５の「点検先エレベータ選択」画面で選択された点検先エレベータのうち、１台目となるエレベータ２０Ａについての点検先プロファイルを、点検先管理部４を通して点検先記憶部５から取得する（ステップＳ３、ステップＳ４）。
【００８１】
次に自動点検制御部１０は、点検先プロファイルに含まれる情報を、点検結果記録部８に記録する（ステップＳ５）。例えば図 １３のように、「点検対象」（名称）、「機種名」、「Ｂｌｕｅｔｏｏｔｈアドレス」を記録する。この際、携帯電話機１自身の識別情報である「電話番号」や、「点検日時」もこの際に併せて記録する。
【００８２】
次に自動点検制御部１０は点検先プロファイルから点検メニューを抽出し（ステップＳ６）、指定されている点検メニューの点検プロファイルを、点検手順管理部６を通して、点検手順記憶部７から取得する（ステップＳ７、ステップＳ８）。
【００８３】
次に、自動点検制御部１０は、点検先プロファイル内のＢｌｕｅｔｏｏｔｈアドレスを取得し（ステップＳ９）、通信モジュール部９を通してエレベータ２０Ａへの接続を行う（ステップＳ１０、ステップＳ１１）。この際、ＰＩＮコードが必要とされれば、点検先プロファイル内のＰＩＮコードを利用する。
【００８４】
次に、自動点検制御部１０は、点検プロファイル内のコマンドを取得する（ステップＳ１２）。その後通信モジュール部９を通してエレベータ２０Ａに対し、取得したコマンドを出力し、エレベータ２０Ａで行われた制御結果を受信する（ステップＳ１３Ａ、ステップＳ１４）。この際、実行したコマンドを点検結果記録部８に記録し（ステップＳ１３Ｂ）、エレベータ２０Ａからの制御結果を点検結果記録部８に記録する（ステップＳ１５）。
【００８５】
自動点検制御部１０は、点検プロファイル（点検メニュー）に含まれる全てのコマンドに対しステップＳ１２からステップＳ１５までの処理を繰り返し行う。全てのコマンドに対し制御命令と制御結果の受信を終えると、自動点検制御部１０は、通信モジュール部９を通してエレベータ２０Ａからの切断を行うとともに（ステップＳ１６、ステップＳ１７）、次の点検先エレベータであるエレベータ２０Ｂの点検先プロファイルを、点検先管理部４を通して点検先記憶部５から取得する（ステップＳ１８、ステップＳ１９）。以降、エレベータ２０Ｂに対してステップＳ５からステップＳ１７までの処理が行われる。以下、自動点検制御部１０は図５の「点検先エレベータ選択」画面で選択された点検先エレベータ（例えばエレベータ２０Ｃ）について順次、エレベータ２０Ａに対して行ったものと同様の処理を繰り返す。
【００８６】
選択された全ての点検先エレベータについての処理を終えると、自動点検制御部１０は、表示部２に点検作業完了通知を表示し（ステップＳ２０）、作業員３０に点検作業が完了したことを通知する（ステップＳ２１）。
【００８７】
本実施の形態によれば、従来の作業員が点検のためのコマンドを一つ一つ専用端末あるいは携帯電話機の点検用アプリケーションに入力し、その応答を目視で確認して別の装置に入力したり紙に書き留めたりする方法に比べて、はるかに点検作業の速度を向上させることが可能となる。
【００８８】
また、従来作業員の手作業により行われていた、コマンドの入力や定められた順序通りのコマンド実行、および点検先エレベータからの制御結果の記録を自動化することで、人間が操作するためにその発生が避けられなかった作業ミスを防止し、点検作業の質を向上させることができる。
【００８９】
（実施の形態２）
本実施の形態では、実施の形態１に示した携帯電話機１に対し、更に点検結果記録部８や点検手順記憶部７、またはその両方を、携帯電話機１の通信機能（例えばメール送信機能）を用いて携帯電話機１の外部にある外部システムと同期させるようにする。本実施の形態の機能ブロック図を図１５に示す。
【００９０】
本実施の形態では、点検結果記録部８と外部システムである点検結果記録システム４０Ａとを携帯電話機１の通信機能を用いることで同期させ、また点検手順記憶部７と外部システムである点検手順記憶システム４０Ｂとを携帯電話機１の通信機能を用いることで同期させる。
【００９１】
あるいは点検結果記録部８や点検手順記憶部７、またはその両方を携帯電話機１内に備えず、携帯電話機１の通信機能を用いて直接点検結果記録システム４０Ａまたは点検手順記憶システム４０Ｂを利用するようにしてもよい。尚、上述したこと以外は、実施の形態１と同様であるため説明を省略する。
【００９２】
本実施の形態によれば、別の作業員が登録や更新を行った点検プロファイルや、新しい機種のエレベータに対する最新の点検の標準メニューをダウンロードして利用することができるようになるほか、他の作業員の行った過去の点検作業の結果を随時参照することができるようになる。
【００９３】
実施の形態１および実施の形態２においては、Ｂｌｕｅｔｏｏｔｈ通信の代わりに、携帯電話にその機能が搭載されていることを前提に、通信相手を一意に識別できる別の無線通信手段を用いるようにしてもよい。このような無線通信技術には、例えばＩＥＥＥ８０２．１１ｂに代表される無線ＬＡＮ技術などがある。
【００９４】
実施の形態１および実施の形態２においては、点検端末を有線あるいは無線通信により接続し、当該点検用端末から点検用コマンドを点検対象へ送信し、点検端末がその応答を受信することによって点検を行うエレベータ以外の機器点検に対しても適用可能である。ただし点検端末の接続に有線接続を用いている場合には、図２１に示すような、携帯電話機との無線通信を点検対象への有線通信に仲介する通信アダプタを用いる必要があり、また点検用端末の接続に無線通信を用いている場合には、その無線通信技術が、インターフェースＩＤ等により通信相手を一意に特定できる特徴を備えている必要がある。
【００９５】
また実施の形態１および実施の形態２においては、携帯電話機を点検端末として用いたが、同等の機能を有する機器（例えば携帯情報端末：ＰＤＡ、ノートパソコン等）を点検端末として用いてもよい。
【００９６】
実施の形態１および実施の形態２における携帯電話機１に実装された点検手段は、更に点検方法にも応用することができ、またコンピュータに実行させる点検プログラムとして応用することができる。
【００９７】
更に実施の形態１および実施の形態２において、点検プログラムは上述した点検端末の内部に予めインストールされているものとして記載したが、本発明における点検プログラムは記憶媒体に記憶されたものも含まれる。ここで記憶媒体とは、磁気テープ、磁気ディスク（フロッピーディスク、ハードディスクドライブ等）、光ディスク（ＣＤ−ＲＯＭ、ＤＶＤディスク等）、光磁気ディスク（ＭＯ等）、フラッシュメモリ等の点検端末に対し脱着可能な媒体や、さらにネットワークを介することで伝送可能な媒体等、上述した点検端末におけるコンピュータで読み取りや実行が可能な全ての媒体をいう。
【００９８】
また「装置管理部」は実施の形態１および実施の形態２における「点検先管理部４」、「点検先記憶部５」と対応し、「コマンド管理部」は実施の形態１および実施の形態２における「点検手順管理部６」、「点検手順記憶部７」と対応している。また「コマンド送信部」は実施の形態１および実施の形態２における「通信モジュール部９」、「自動点検制御部１０」と対応し、「装置切替え部」は実施の形態１および実施の形態２における「自動点検制御部１０」と対応している。さらに「制御結果受信部」は実施の形態１および実施の形態２における「通信モジュール部９」と対応し、「制御結果記録部」は実施の形態１および実施の形態２における「点検結果記録部８」と対応している。
【図面の簡単な説明】
【００９９】
【図１】本発明の実施の形態１における、携帯電話機の機能ブロックを示す図である。
【図２】本発明の実施の形態１における、点検先プロファイルを示す図である。
【図３】本発明の実施の形態１における、点検プロファイルを示す図である。
【図４】本発明の実施の形態１における、点検結果の一覧を示す図である。
【図５】本発明の実施の形態１における、点検先エレベータ選択画面を示す図である。
【図６】本発明の実施の形態１における、点検先エレベータの詳細情報画面を示す図である。
【図７】本発明の実施の形態１における、点検履歴の確認画面を示す図である。
【図８】本発明の実施の形態１における、点検結果の詳細画面を示す図である。
【図９】本発明の実施の形態１における、点検先エレベータの追加画面を示す図である。
【図１０】本発明の実施の形態１における、点検メニューの選択画面を示す図である。
【図１１】本発明の実施の形態１における、点検メニューの詳細画面を示す図である。
【図１２】本発明の実施の形態１における、点検メニューの新規登録画面を示す図である。
【図１３】本発明の実施の形態１における、点検結果の詳細を示す図である。
【図１４】本発明の実施の形態１における、処理シーケンスを示す図である。
【図１５】本発明の実施の形態２における、携帯電話機の機能ブロックを示す図である。
【図１６】従来のＲＳ−２３２Ｃケーブルによる接続を示す図である。
【図１７】従来の光ケーブルによる接続を示す図である。
【図１８】従来の点検端末を示す図である。
【図１９】エレベータと制御盤の配置を示す図である。
【図２０】複数台のエレベータの配置を示す図である。
【図２１】従来のＢｌｕｅｔｏｏｔｈ通信による接続を示す図である。
【図２２】図２０に示したエレベータの機種毎のパラメータの一例を示す図である。
【符号の説明】
【０１００】
１  携帯電話機、２  表示部、３  入力部、４  点検先管理部、５  点検先記憶部、６  点検手順管理部、７  点検手順記憶部、８  点検結果記録部、９  通信モジュール部、１０  自動点検制御部、２０Ａ  エレベータ、２０Ｂ  エレベータ、２０Ｃ  エレベータ、３０  作業員、４０Ａ  点検結果記録システム、４０Ｂ  点検手順記憶システム。
【図１】
2008156051.tif 000003
【図２】
2008156051.tif 000004
【図３】
2008156051.tif 000005
【図４】
2008156051.tif 000006
【図５】
2008156051.tif 000007
【図６】
2008156051.tif 000008
【図７】
2008156051.tif 000009
【図８】
2008156051.tif 000010
【図９】
2008156051.tif 000011
【図１０】
2008156051.tif 000012
【図１１】
2008156051.tif 000013
【図１２】
2008156051.tif 000014
【図１３】
2008156051.tif 000015
【図１４】
2008156051.tif 000016
【図１５】
2008156051.tif 000017
【図１６】
2008156051.tif 000018
【図１７】
2008156051.tif 000019
【図１８】
2008156051.tif 000020
【図１９】
2008156051.tif 000021
【図２０】
2008156051.tif 000022
【図２１】
2008156051.tif 000023
【図２２】
2008156051.tif 000024